(57)【要約】【課題】調理を支援する情報処理装置および調理支援方法を提供することを目的とする。【解決手段】この携帯端末１００によれば、マイク１０３が調理場において発生した調理音を集音し、制御部１０９は、この調理音に基づいて、当該調理音に対応するガイダンス情報をガイダンス情報記憶部１０６から抽出する。そして、表示部１０４は、抽出されたガイダンス情報を表示することで、ユーザに対して知らせる。例えば、卵を割る音をマイク１０３が集音すると、制御部１０９は、卵をかき混ぜるためのガイダンス情報を表示部１０６に表示させる。これにより、調理音、例えば野菜を切る音、カツを揚げる音などに応じて的確なガイダンスを提供することができる。【選択図】図１
2014190673.tif 000002
【特許請求の範囲】
【請求項１】
調理内容をユーザに知らせるためのガイダンス情報と調理音とを調理段階に対応付けて記憶する記憶手段と、
調理場において発生した調理音に基づいて、当該調理音に対応するガイダンス情報を前記記憶手段から抽出する抽出手段と、
前記抽出手段により抽出されたガイダンス情報をユーザに対して知らせる出力手段と、
を備える情報処理装置。
【請求項２】
前記記憶手段は、さらに調理時間を、ガイダンス情報及び調理音に対応付けて記憶し、
前記抽出手段は、調理音および調理時間に基づいて、前記記憶手段からガイダンス情報を抽出する
ことを特徴とする請求項１に記載の情報処理装置。
【請求項３】
家族構成を示す家族情報に基づいて、補正されたガイダンス情報を取得する取得手段をさらに備え、
前記記憶手段は、前記取得手段により取得された補正されたガイダンス情報を記憶することを特徴とする請求項１または２に記載の情報処理装置。
【請求項４】
端末の位置を示す位置情報を取得する取得手段と、
前記取得手段により取得された位置情報に基づいて補正されたガイダンス情報を取得する取得手段と、をさらに備え、
前記記憶手段は、前記取得手段により取得された補正されたガイダンス情報を記憶することを特徴とする請求項１または２に記載の情報処理装置。
【請求項５】
調理内容をユーザに知らせるためのガイダンス情報と調理音とを調理段階に対応付けて記憶する記憶手段を有する情報処理装置における調理支援方法において、
調理場において発生した調理音に基づいて、当該調理音に対応するガイダンス情報を前記記憶手段から抽出する抽出ステップと、
前記抽出ステップにより抽出されたガイダンス情報をユーザに対して知らせる出力ステップと、
を備える調理支援方法。
【発明の詳細な説明】
【技術分野】
【０００１】
本発明は、調理を支援する情報処理装置および調理支援方法に関する。
【背景技術】
【０００２】
料理本や、雑誌に掲載されているレシピに基づいて料理を行うことが一般的に行われているが、所望する料理に仕上がらないことが多い。そのため、レシピ情報に従って、料理のガイダンスを行うことができる調理器が考えられている（特許文献１）
【先行技術文献】
【特許文献】
【０００３】
【特許文献１】特開２０１０−１９２２７４号公報
【発明の概要】
【発明が解決しようとする課題】
【０００４】
しかしながら、ここでは調理器における各種センサを用いてガイダンスを行うものであり、調理器に入れる前の下準備について適切にガイダンスを提供することはできていない。
【０００５】
そこで、本発明においては、調理を支援する情報処理装置および調理支援方法を提供することを目的とする。
【課題を解決するための手段】
【０００６】
上述の課題を解決するために、本発明の情報処理装置は、調理内容をユーザに知らせるためのガイダンス情報と調理音とを調理段階に対応付けて記憶する記憶手段と、調理場において発生した調理音に基づいて、当該調理音に対応するガイダンス情報を前記記憶手段から抽出する抽出手段と、前記抽出手段により抽出されたガイダンス情報をユーザに対して知らせる出力手段と、を備えている。
【０００７】
また、本発明の調理支援方法は、調理内容をユーザに知らせるためのガイダンス情報と調理音とを調理段階に対応付けて記憶する記憶手段を有する情報処理装置における調理支援方法において、  調理場において発生した調理音に基づいて、当該調理音に対応するガイダンス情報を前記記憶手段から抽出する抽出ステップと、  前記抽出手段により抽出されたガイダンス情報をユーザに対して知らせる出力ステップと、を備えている。
【０００８】
この発明によれば、調理場において発生した調理音に基づいて、当該調理音に対応するガイダンス情報を記憶手段から抽出し、抽出されたガイダンス情報をユーザに対して知らせる。これにより、調理音、例えば野菜を切る音、カツを揚げる音などに応じて的確なガイダンスを提供することができる。
【０００９】
また、本発明の情報処理装置において、前記記憶手段は、さらに調理時間を、ガイダンス情報及び調理音に対応付けて記憶し、前記抽出手段は、調理音および調理時間に基づいて、前記記憶手段からガイダンス情報を抽出する。
【００１０】
この発明によれば、調理時間を、ガイダンス情報及び調理音に対応付けて記憶し、調理音および調理時間に基づいて、記憶手段からガイダンス情報を抽出する。これにより、時間をも考慮して、的確なガイダンスを提供することができる。
【００１１】
また、本発明の情報処理装置は、家族構成を示す家族情報に基づいて、補正されたガイダンス情報を取得する取得手段をさらに備え、前記記憶手段は、前記取得手段により取得された補正されたガイダンス情報を記憶する。
【００１２】
この発明によれば、家族構成を示す家族情報に基づいて、補正されたガイダンス情報を利用することにより、家族構成に応じた適切な分量を示したガイダンスを提供することができる。
【００１３】
また、本発明の情報処理装置は、端末位置を示す位置情報を取得する取得手段と、前記取得手段により取得された位置情報に基づいて補正されたガイダンス情報を取得する取得手段と、をさらに備え、前記記憶手段は、前記取得手段により取得された補正されたガイダンス情報を記憶する。
【００１４】
この発明によれば、位置情報に基づいて補正されたガイダンス情報を利用することにより、地域に応じて適切なガイダンスを提供することができる。
【発明の効果】
【００１５】
この発明によれば、調理音、例えば野菜を切る音、カツを揚げる音などに応じて的確なガイダンスを提供することができる。
【図面の簡単な説明】
【００１６】
【図１】本実施形態の情報処理装置である携帯端末１００の機能構成を示すブロック図である。
【図２】携帯端末１００のハードウェア構成図である。
【図３】このガイダンス情報テーブルの具体例を示す説明図である。
【図４】調理支援サーバ２００の機能構成を示すブロック図である。
【図５】補正情報の具体例を示す説明図である。
【図６】携帯端末１００と調理支援サーバ２００との処理を示すフローチャートである。
【発明を実施するための形態】
【００１７】
添付図面を参照しながら本発明の実施形態を説明する。可能な場合には、同一の部分には同一の符号を付して、重複する説明を省略する。
【００１８】
図１は、本実施形態の情報処理装置である携帯端末１００の機能構成を示すブロック図である。この携帯端末１００は、後述する調理支援サーバ２００とアクセスして、ガイダンス情報を取得することにより、ガイダンス処理を行うことができる。図１に示される通り、この携帯端末１００は、位置情報取得部１０１、通信部１０２（取得手段）、マイク１０３、表示部１０４（出力手段）、操作部１０５、ガイダンス情報記憶部１０６（記憶手段）、家族情報記憶部１０７、スケジュール情報記憶部１０８、および制御部１０９（抽出手段）を含んで構成されている。この携帯端末１００は、図２に示されるようなハードウェアにより構成されている。
【００１９】
図２は、携帯端末１００のハードウェア構成図である。図１に示される携帯端末１００は、物理的には、図２に示すように、ＣＰＵ１１、主記憶装置であるＲＡＭ１２及びＲＯＭ１３、入力デバイスであるキーボード及びマウス等の入力装置１４、ディスプレイ等の出力装置１５、ネットワークカード等のデータ送受信デバイスである通信モジュール１６、半導体メモリ等の補助記憶装置１７などを含むコンピュータシステムとして構成されている。図１における各機能は、図２に示すＣＰＵ１１、ＲＡＭ１２等のハードウェア上に所定のコンピュータソフトウェアを読み込ませることにより、ＣＰＵ１１の制御のもとで入力装置１４、出力装置１５、通信モジュール１６を動作させるとともに、ＲＡＭ１２や補助記憶装置１７におけるデータの読み出し及び書き込みを行うことで実現される。以下、図１に示す機能ブロックに基づいて、各機能ブロックを説明する。
【００２０】
位置情報取得部１０１は、ＧＰＳモジュールなどを利用して位置情報を取得する部分である。なお、ＧＰＳを利用することに限るものではなく、無線基地局などを利用した概略位置情報を取得するものでもよい。
【００２１】
通信部１０２は、公衆移動通信網を介して通信を行う部分であり、後述する調理支援サーバとインターネットを介して通信接続することができる。
【００２２】
マイク１０３は、携帯端末１００の周囲の音を集音する部分であり、本実施形態においては、携帯端末１００は調理場またはキッチンにおかれており、そこで生じる調理音を集音することができる。
【００２３】
表示部１０４は、ガイダンス情報を表示する部分である。
【００２４】
操作部１０５は、ユーザからの操作を受け付ける部分であり、例えばテンキーや、タッチパネルである。
【００２５】
ガイダンス情報記憶部１０６は、調理内容や調理手順をユーザに対して知らしめるためのガイダンス情報テーブルを記憶する部分である。このガイダンス情報テーブルは、制御部１０９による制御により、後述する調理支援サーバからダウンロードされる情報である。
【００２６】
図３は、このガイダンス情報テーブルの具体例を示す説明図である。図３に示される通り、ガイダンス情報テーブルは、調理段階を示す手順ナンバー、ガイダンス情報、次のステップに進むための基準となる調理音、および調理時間と対応付けられている。図３では、テキストベースでガイダンス情報は調理内容・調理手順を示しているが、これに限るものではなく、音声ファイル、画像ファイルまたは動画ファイルと対応付けてもよい。これにより、制御部１０９は、画像ファイルや動画ファイルに基づいて画像や動画を表示部１０４に表示させることができる。また、このガイダンス情報には各手順ごとの出来上がり想定図を示した画像ファイル・動画ファイルを対応付けてもよい。なお、ガイダンス情報には、実際の手順を示すとともに、調理のコツやアドバイスを含めてもよい。例えば、卵の割り方、野菜の切り方についてアドバイスなどである。
【００２７】
また、ガイダンス情報には、メインの調理内容・調理手順と並行して調理すべき他の調理内容・調理手順を含めてもよい。その場合、優先順位をつけてメインの調理内容・調理手順の後に他の調理内容・調理手順を、待ち時間を調整してガイダンスをしもよいし、同時にガイダンスをしてもよい。
【００２８】
家族情報記憶部１０７は、家族構成を示す家族情報を記憶する部分である。例えば、家族を構成する人数、年齢、性別を記憶している。
【００２９】
スケジュール情報記憶部１０８は、スケジュールを記憶する部分である。このスケジュール情報には、一般的なユーザのスケジュールのほかに、レシピ情報をダウンロードした日付や、その補正情報について記憶している。
【００３０】
制御部１０９は、本実施形態における調理支援方法を実行するためのプログラムを処理する部分である。まず、制御部１０９による制御に基づいて、操作部１０５によりユーザからガイダンス情報のダウンロード指示が行われると、通信部１０２は、調理支援サーバ２００から複数のレシピ情報を取得し、表示部１０４は、複数のレシピ情報を表示する。そして、ユーザは操作部１０５を操作することにより、一のレシピ情報を選択する。そして、制御部１０９の制御に従って、通信部１０２は、選択されたレシピ情報を調理支援サーバ２００に送信する。その後、携帯端末１００において、通信部１０２は、レシピ情報に対応するガイダンス情報テーブルを受信し、ガイダンス情報記憶部１０６は、ガイダンス情報テーブルを記憶する。
【００３１】
以降、制御部１０９は、ガイダンス情報テーブルに従ったガイダンス処理を実行する。すなわち、調理支援処理がスタートされると、まず、表示部１０４は、ガイダンス情報テーブルに従ったガイダンス情報である調理内容・調理手順を表示する。それとともに、マイク１０３は集音処理を開始し、制御部１０９は、マイク１０３において集音した調理音および経過時間に基づいて、ガイダンス情報テーブルにおける次のガイダンス情報の表示処理を行う。
【００３２】
例えば、図３を例にとると、開始直後には、表示部１０４は、ボール・フライパン・油の用意を行うように調理人に促すガイダンス情報を表示する。その１０秒後に、調理内容・調理手順として、“卵を割る”というガイダンス情報を表示部１０４は表示する。その後、マイク１０３が、卵を割った音“コツン”を集音すると、制御部１０９は、次のガイダンス情報を表示する。また、制御部１０９は、卵を焼いている“ジュー”という音を所定時間、集音し続けると（または調理音が途中で変わると）、次のステップに進むようにすることもできる。
【００３３】
このような処理を図４に従って行うことで、調理音を利用したガイダンスの表示処理を行うことができる。なお、あらかじめユーザが、実際に調理した音をガイダンス情報に登録することにより、ガイダンス処理の精度を高めることができる。例えば、「玉ねぎをみじん切りにしてください。」という音声で、玉ねぎをみじん切りすることをユーザに対して促し、実際にみじん切りをすることで、みじん切りの音を登録することができる。
【００３４】
つぎに、調理支援サーバ２００について説明する。図４は、調理支援サーバ２００の機能構成を示すブロック図である。この調理支援サーバ２００も、携帯端末１００と同様に、ＣＰＵ、ＲＡＭ、ＲＯＭ等からなるコンピュータシステムで構成されている。そして、調理支援サーバ２００は、通信部２０１、処理部２０２、レシピ情報記憶部２０３、ガイダンス情報記憶部２０４、補正情報記憶部２０５、および履歴情報記憶部２０６を含んで構成されている。
【００３５】
通信部２０１は、携帯端末１００からのアクセスを受け付ける部分である。
【００３６】
処理部２０２は、通信部２０１を介して、携帯端末１００からレシピ情報の要求およびガイダンス情報テーブルの要求を受け付けると、それぞれレシピ情報やガイダンス情報テーブルを、レシピ情報記憶部２０３およびガイダンス情報記憶部２０４から抽出して、通信部２０１を介して携帯端末１００に送信する。
【００３７】
レシピ情報記憶部２０３は、調理方法や材料等を示すレシピ情報を記憶する部分である。例えば、このレシピ情報は、材料、調味料や、その分量、さらに調理方法、調理手順を含んだものである。
【００３８】
ガイダンス情報記憶部２０４は、調理手順を詳細に示したガイダンス情報テーブルを記憶する部分である。このガイダンス情報テーブルは、調理支援サーバ２００から携帯端末１００に送信され、携帯端末１００では、このガイダンス情報テーブルに従った、調理支援を実行する。
【００３９】
補正情報記憶部２０５は、ガイダンス情報テーブルにおける各ガイダンス情報を補正するための補正情報を記憶する部分である。この補正情報は、家族構成や地域情報に従った分量や味付けになるよう、各材料の分量の補正や、調味料の補正が行われるための情報である。図５にその具体例を示す。図５に示されるように、補正情報は、位置情報や、家族構成などの情報に対応づいて調味料の加減値や、具材の追加の有無等を記述している。例えば、図５の例では、地域Ａでは、調味料を＋１としており、あらかじめ定めた分量を基準値に加えることを示している。また、地域Ｃでは、オムレツの場合、手順７のつぎに、具材Ｘを加えるようにガイダンス情報を補正することを示している。
【００４０】
このような補正情報によれば、例えば、地域Ａでは、調味料が標準値より多くなるようにガイダンス情報が補正されることになる。また、家族構成が４人である場合には、材料、調味料等が４人分の分量となるようにガイダンス表示されるように補正される。より具体的にいうと、地域情報で、関西地方であることが示されている場合には、関西地方で好まれる味付け、例えば薄めにするとか白だしを使うなど、調味料の分量を補正したり、また関西地方で好まれる調味料に置き換えるなどの補正をしたりすることができる。
【００４１】
そして、処理部２０２は、ガイダンス情報テーブルを送信するに先立って、この補正情報に従ってガイダンス情報テーブルを補正し、補正されたガイダンス情報テーブルを携帯端末１００に送信する。
【００４２】
なお、調理人数に応じて、ガイダンス情報テーブルを分割して、分割したガイダンス情報テーブルを携帯端末に送信してもよい。この場合、例えば料理に精通したユーザＡと料理に詳しくないユーザＢとが共同して調理する場合、それぞれの携帯端末１００から、料理のレベル情報を、レシピ情報の取得に先立って送ってもらい、調理支援サーバ２００において、それらの情報に基づいて、ガイダンス情報を分割することができる。なお、その際、ガイダンス情報テーブルの各各ガイダンス情報には、レベルが割り振られていることが必要である。
【００４３】
履歴情報記憶部２０６は、選択されたレシピ情報を記憶する部分である。
【００４４】
つぎに、本実施形態の携帯端末１００と調理支援サーバ２００との処理について説明する。図６は、その処理を示すフローチャートである。
【００４５】
まず、携帯端末１００において、ユーザが操作部１０５を操作することによりユーザ情報、所有情報、位置情報および料理種類が入力され、通信部１０２により、ユーザ情報、所有情報、位置情報および料理種類が調理支援サーバ２００に送信される（Ｓ１０１）。なお、ここでユーザ情報は、ユーザを識別するための情報であり、所有情報は、所有している食材や調味料を示す情報である。また、位置情報は、携帯端末１００の位置情報であり、料理種類は、ユーザが所望する料理の書類を示す情報である。所有情報および料理種類は、ユーザ操作により設定される情報である。
【００４６】
調理支援サーバ２００において、ユーザ情報、所有情報、位置情報、料理種類が通信部２０１により受信されると、処理部２０２によりレシピ情報記憶部２０３から複数のレシピ情報が取得され、通信部２０１により複数のレシピ情報が携帯端末１００に送信される（Ｓ２０２）。なお、調理支援サーバ２００では、所有情報および料理種類に基づいて、その食材で調理することのできるレシピ情報を選択する。
【００４７】
携帯端末１００では、通信部１０２により、レシピ情報が受信されると（Ｓ１０３）、表示部１０４に、そのレシピ情報が表示される（Ｓ１０４）。
【００４８】
そして、ユーザにより、一のレシピ情報が選択されると、調理支援サーバ２００では、選択された一のレシピ情報に対応するガイダンス情報テーブルが決定され、補正情報記憶部２０５に記憶されている補正情報に従って、そのガイダンス情報テーブルに対する補正処理が処理部２０２により行われる（Ｓ２０３）。そして、補正されたガイダンス情報テーブルが携帯端末１００に送信される（Ｓ２０４）。
【００４９】
携帯端末１００では、ガイダンス情報テーブルが通信部２０１により受信され（Ｓ１０５）、制御部１０９によるガイダンス処理が開始される（Ｓ１０６）。まず、制御部１０９により、ガイダンス情報テーブルの最初のガイダンス情報が表示部１０４に表示される（Ｓ１０７）。そして、ガイダンス情報に対応付けられている経過時間が経過するかまたは所定の調理音が集音されなくなると（または調理音が変わると）（Ｓ１０８：ＹＥＳ）、制御部１０９により、次のガイダンス情報が抽出され（Ｓ１０９、Ｓ１１０））、そのガイダンス情報が表示部１０４に表示される（Ｓ１０７）。
【００５０】
Ｓ１０９において、次のガイダンス情報が抽出されないと（Ｓ１１０：ＹＥＳ）、ガイダンス処理が終了と判断され、処理が終了される。そして、これら処理が、ガイダンス情報がなくなるまで繰り返し行われる（Ｓ１０７〜Ｓ１０９）。
【００５１】
つぎに、補正処理における変形例について説明する。上述補正処理は、位置情報に基づいた補正情報が選択されているが、さらにこれに代えて、位置情報に基づいてその位置・地域における気候情報が、外部サーバ等から抽出され、その気候に適した補正情報が選択されるようにしてもよい。例えば、温度・湿度に応じた補正情報が選択されたり、または晴天か雨天化に応じて補正情報を変えるようにしてもよい。さらに、スケジュール情報が事前に調理支援サーバ２００に通知されており、そのスケジュール情報に従った補正情報が選択されるようにしてもよい。例えば、スケジュールが過密である場合、疲労していると考えられるため、塩分を多めにするなどの補正がなされる。
【００５２】
さらに、補正情報をユーザにより適宜修正してもよい。例えば、ユーザが、一度作った料理に対して、味付けや、焼き具合などの評価を行うことにより、調理支援サーバ２００において、補正情報における、調味料の増減や、焼き時間の増減を調整するようにしてもよい。また、特定の調味料を使いすぎている場合には、その特定の調味料を用いたレシピ情報を提供しないようにしてもよいし、またレシピ情報に基づくガイダンス情報テーブルから特定の調味料を減らすように補正してもよい。
【００５３】
つぎに、そのほかの変形例やバリエーションについて説明する。携帯端末１００におけるガイダンス中、携帯端末１００はレシピ情報に基づいて特定の箇所のアップ画像を表示したり、レシピ情報に登録された調理音をモデル音として出力したりしてもよい。また、カメラで調理中の具材を撮影し、色合いや具材のカット加減から調理のステップを把握するとともに、調理のアドバイスを行うようにしてもよい。
【００５４】
さらに、ユーザは料理の出来上がりについて評価を行うこともできる。評価は、レシピ情報に紐づけられて携帯端末１００に記憶され、次回のレシピ情報の提供の際に考慮される。レシピ情報とスケジュール情報と連携している場合には、そのスケジュール情報も記憶しておき、例えば２回目の会合時には前回の会合で用いたレシピ情報を提示することができる。
【００５５】
また、調理支援サーバ２００は、各レシピ情報が何度使用されたかの情報を蓄積することもできる。
【００５６】
また、調理支援サーバ２００においては、食材等の消耗具合を把握することができ、料理のトレンド情報と併せて必要な購入情報の案内を携帯端末１００にすることができる。
【００５７】
また、調理支援サーバ２００は、各レシピ情報からユーザの摂取カロリーや栄養分などを把握し、今後のレシピ提案や必要な具材の案内をすることができる。
【００５８】
さらに、調理支援サーバ２００を運用しているサービス提供者は、ユーザのレシピ情報の利用に対して課金する仕組みを提供することもできる。例えば、携帯端末１００には、無料のアプリケーションをインストールしてもらい、調理支援サーバ２００からレシピ情報1件につき課金するようにしてもよいし、もしくは月額固定料金を請求するようにしてもよい。
【００５９】
また、携帯端末１００は、調理支援サーバ２００経由で食材や調味料を購入するようにしてもよく、その際には割引を適用するなどのインセンティブを与えることも考えられる。
【００６０】
上記では音のみを検知して料理の工程を判断したが、これに匂い情報も加えることができる。各工程の匂いをレシピ情報に含ませることで、匂いセンサを搭載した携帯端末において、調理の進捗および出来を匂いによって判断することができる。
【００６１】
つぎに、本実施形態の情報処理装置である携帯端末１００の作用効果について説明する。この携帯端末１００によれば、マイク１０３が調理場において発生した調理音を集音し、制御部１０９は、この調理音に基づいて、当該調理音に対応するガイダンス情報をガイダンス情報記憶部１０６から抽出する。そして、表示部１０４は、抽出されたガイダンス情報を表示することで、ユーザに対して知らせる。これにより、調理音に応じて的確なガイダンスを提供することができる。例えば、制御部１０９は、マイク１０３において卵を割る音を検出すると、次のガイダンス情報を表示するようにしたり、また、野菜を切る音や揚げ物を揚げている音が終了すると、次のガイダンス情報を表示するようにする。通常、台所には様々な音が混在しているが、切る、叩く、および混ぜる等の音は特定の音が反復されるという特徴があるため特定することが比較的容易であり、より正確なガイダンスが可能である。
なお、上述実施形態においては、ガイダンス情報を表示することによりユーザに調理工程を知らせているが、これに限らず、音声などで知らせるようにしてもよい。
【００６２】
また、この携帯端末１００によれば、ガイダンス情報記憶部１０６は、調理時間を、ガイダンス情報及び調理音に対応付けて記憶し、制御部１０９は、調理音および調理時間に基づいて、ガイダンス情報記憶部１０６からガイダンス情報を抽出する。そして、このガイダンス情報を表示部１０４は、表示する。これにより、時間をも考慮して、的確なガイダンスを提供することができる。例えば、揚げ物を揚げている音に基づいてタイマーをスタートさせ、その時間を計測することにより、揚げている時間を計測し、適切な調理をガイダンスすることができる。
【００６３】
この携帯端末１００によれば、家族構成を示す家族情報に基づいて補正されたガイダンス情報テーブルを利用することにより、家族構成に応じた適切な分量を示したガイダンスを提供することができる。なお、家族情報は事前に調理支援サーバ２００に送信し、調理支援サーバ２００において、ガイダンス情報テーブルを補正する。
【００６４】
この携帯端末１００によれば、位置情報に基づいて補正されたガイダンス情報テーブルを利用することにより、地域に応じて適切なガイダンスを提供することができる。なお、位置情報は事前に調理支援サーバ２００に送信し、調理支援サーバ２００において、ガイダンス情報テーブルを補正する。
【００６５】
上述のとおり、携帯端末１００において、ガイダンス処理をしている例を説明したがこれに限定したものではなく、携帯端末１００は、単にガイダンス情報を調理支援サーバ２００から受信し、表示するだけで、携帯端末１００において集音した調理音を送信してもらい、その調理音に基づいて調理支援サーバ２００が適切なガイダンス情報をガイダンス情報テーブルから抽出して、携帯端末１００に送信するようにしてもよい。
【符号の説明】
【００６６】
１００…携帯端末、１０１…位置情報取得部、１０２…通信部、１０３…マイク、１０４…表示部、１０５…操作部、１０６…ガイダンス情報記憶部、１０７…家族情報記憶部、１０８…スケジュール情報記憶部、１０９…制御部、２００…調理支援サーバ、２０１…通信部、２０２…処理部、２０３…レシピ情報記憶部、２０４…ガイダンス情報記憶部、２０５…補正情報記憶部、２０６…履歴情報記憶部。
【図１】
2014190673.tif 000003
【図２】
2014190673.tif 000004
【図３】
2014190673.tif 000005
【図４】
2014190673.tif 000006
【図５】
2014190673.tif 000007
【図６】
2014190673.tif 000008